【事件の表示】
　平成１０年特許願第　２３０７１号「インキ膜厚の制御方法およびインキ供給装置」拒絶査定不服審判事件〔平成１１年　８月１０日出願公開、特開平１１−２１６８４５〕について、次のとおり審決する。
【結　論】
　本件審判の請求は、成り立たない。
【理　由】
１　手続の経緯
　本願は、平成１０年２月４日の出願であって、平成１６年１１月５日付けで手続補正がなされ、平成１９年１月３０日付け拒絶理由通知に対して、同年４月９日付けで手続補正がなされたが、平成２０年１月３１日付けで拒絶査定がなされ、これに対し、同年３月６日に拒絶査定不服の審判が請求されたものである。
   　　　
２　本願発明
　本願の請求項１乃至２に記載された発明は、平成１９年４月９日付け手続補正後の明細書及び図面の記載からして、請求項１乃至２に記載されたとおりのものであるところ、請求項１に係る発明（以下「本願発明」という。）は、次のとおりのものである。
           　　　　
「【請求項１】　インキツボ内のインキをインキローラ群を介して刷版へ供給するインキ供給装置において、
　前記インキローラ群に形成されているインキ膜厚分布から前記刷版の絵柄に応じたインキ膜厚分布を除去する
インキ除去手段
　ブランケット胴に対する洗浄を行う
ブランケット洗浄手段
　前記インキ除去手段に対してその動作モードを設定する
第１のスイッチ手段
第２のスイッチ手段
　前記第１のスイッチ手段および第２のスイッチ手段による動作モードの設定が連動である場合、印刷作業の終了と連動して、前記インキ除去手段を自動的に動作させ、その後、前記ブランケット洗浄手段を自動的に動作させ、
　前記第１のスイッチ手段による動作モードの設定が連動で前記第２のスイッチ手段による動作モードの設定が単独である場合、印刷作業の終了と連動して、前記インキ除去手段のみを自動的に動作させ、
　前記第１のスイッチ手段による動作モードの設定が単独で前記第２のスイッチ手段による動作モードの設定が連動である場合、印刷作業の終了と連動して、前記ブランケット洗浄手段のみを自動的に動作させるようにした
　ことを特徴とするインキ膜厚の制御方法。」（審決で下線を付した。以下同じ。）
　　　
３　引用刊行物
（１）原査定の拒絶の理由に引用された「本願出願前に頒布された刊行物である特開平０５−２７８２０４号公報（以下「引用文献１」という。）」には、図とともに以下の事項が記載されていると認められる。
　　　　　　　　　
　ア　「インキ又は水の移転を行うインキ着けローラ，水着けローラ，版胴，ブランケット胴及び圧胴を有する印刷機械において、前記各ローラの相互の着脱を制御するローラ着脱制御装置と、前記制御装置に各ローラの着脱タイミングを指示する制御パターン入力装置とを具え、版替えのために印刷機停止時にインキ練りローラ群に残留するインキ量が一定になるように構成したことを特徴とする色調安定化装置。」【請求項１】
                                   　
　イ　「本発明は印刷開始時の色調を安定化することのできる
オフセット印刷機
      　
　ウ　「ローラ群上に溜まっている余剰なインキを消費し、次の絵柄による印刷開始前にはローラ群上には常に一定レベルのインキ量（図２の破線２７）だけ残るようになる。」【作用】
                        　
　エ　「【実施例】本発明の実施例を図１乃至図５について説明する。図において、１は圧胴、２は
ブランケット胴
   　　　
　オ　「【００１１】版替え前に印刷機を止める際には、予め
入力装置
印刷機停止用の制御装置
インク着けローラ４と版胴３及びインキ着けローラ４と水着けローラ５は、それから２０回転程度遅れて離し（図５の状態）、その後印刷機の回転を停止させる
【００１２】この版替え前専用の制御装置３１により、インキ練りローラ群に溜まったインキは版の画線率に応じて版に取られるため、
インキ練りローラ群に残るインキ量は前に刷った絵柄にかかわらず一定量（図２の２７参照）となる。なぜなら絵柄面積率が大きい絵柄の場合はインキ練りローラに溜まるインキ量も多いが、版には画線部（インキが着く部分）が多いため取られる量も多く、絵柄面積率が小さい場合にはインキ練りローラに溜まる量は少ないが、版に取られる量も少ないためである
【００１３】 この制御装置３１によって、版替え後のインキ練りローラに溜まっているインキ量は一定になっているため、色調はすばやく合わせられ、またその後の色調も安定する（図３の２８参照）。
実施例２
版を替えるために印刷を止めることを印刷機に入力するために、版替え前専用の印刷機停止ボタンを作る。もしくは
“通常”と“版替え前”の切替えスイッチを設け、印刷停止ボタンを押す前に選択できるようにする
版替え前の位置にスイッチを切替えた後に印刷停止ボタンを押すことによって、版替え前専用の制御装置３１を作動させる
【００１４】
通常の印刷機停止用の制御装置は次のように印刷機各部を制御する
【００１５】
版替え前に印刷機を止める際には、予め入力装置３２から制御パターンを入力しておいた印刷機停止用の制御装置３１に、以下の様に制御し印刷機を止める。版替え前専用の印刷機停止ボタンが押されると
【００１６】
この版替え前専用の制御装置３１により
一定量（図２の２７参照）となる
【００１７】
この制御装置３１によって、版替え後のインキ練りローラに溜まっているインキ量は一定になっている
   　　　　　
　カ　図１から、インキツボ内のインキを、インキ元ローラ、インキ呼出ローラ及びインキ練りローラ等を介して版胴へ供給する多数のローラからなる装置（以下「
インキ供給装置
    　　
　キ　上記オの「
インキ練りローラ群に溜まったインキは版の画線率に応じて版に取られるため、インキ練りローラ群に残るインキ量は前に刷った絵柄にかかわらず一定量（図２の２７参照）となる
インキ供給装置
　　                　
　上記のことから、引用文献１には次の発明が記載されている（以下「引用発明」という。）と認められる。
　　　　　　　　　　
「インキツボ内のインキを、インキ元ローラ、インキ呼出ローラ及びインキ練りローラを介して版胴へ供給するオフセット印刷機のインキ供給装置において、
　印刷機停止用の制御装置と、
　制御パターンを入力する制御パターン入力装置と、
　印刷停止ボタンを押す前に選択され、「通常」と「版替え前」とを切り替える切替えスイッチとを備え、
　「版替え前」の位置に切替えスイッチを切替えた後に印刷機停止ボタンが押されると、　　
　紙入れ機構を停止させ、最終の紙がブランケット胴と圧胴の間を通過した直後に、版胴とブランケット胴、ブランケット胴と圧胴を離し、インク着けローラと版胴及びインキ着けローラと水着けローラを、それから２０回転程度遅れて離し、その後印刷機の回転を停止させ、
インキ練りローラ群に残るインキを版の画線率に応じて消費し、次の絵柄による印刷開始前に、インキ練りローラ群に残るインキ量を前に刷った絵柄にかかわらず一定とするインキ膜厚の制御方法。」
　　　　　    　　　
（２）原査定の拒絶の理由に引用された「本願出願前に頒布された刊行物である特開平０５−０２４１８３号公報（以下「引用文献２」という。）」には、図とともに以下の事項が記載されていると認められる。
        　　
　ア　「枚葉印刷機の各自動化装置を自動的にシーケンシャルに制御するコントローラを有し、このコントローラは各種機器に接続されたプログラマブルな制御装置と、この制御装置を制御内容を設定する設定部を介してコントロールする
制御内容設定部
　    　
　イ　「印刷用の枚葉紙を供給する給紙部と、印刷機本体をなす印刷部と、印刷後の枚葉紙を排出する排紙部とからなるオフセット枚葉印刷機において、各部分を自動的にシーケンシャルに制御するコントローラを有し、このコントローラは各種機器に接続されたプログラマブルな制御装置と、この制御装置は制御内容を設定する設定部を介してコントロールする制御内容設定部と、各種機器の動作状況をモニタリングするモニター部を備えていることを特徴とする
オフセット枚葉印刷機
　
　ウ　「オペレータは、各自動化装置を使用するにあたり、他装置の動作状況を確認しながら個々の操作盤を走りまわるわずらわしさがある為、全ての自動化装置をトータルで監視し、
印刷条件に応じてシーケンシャルに一括で動作制御するコントローラーの必要性
                                              　
　エ　「 また、ここには図示されていないが、これら自動化装置と並行して最近のオフセット枚葉機によって備えられている
版面へのインキの供給量を自動設定する装置
ブラン胴を自動洗浄する装置
      　
　オ　「【００２０】印刷機の印刷状態には連続して用紙に安定して印刷している状態（定常運転状態）と
印刷が終了し次の印刷に備え準備している状態（切替状態）
【００２１】以下に制御メニューの設定、各メニューにおける制御内容の設定手段を説明する。図６及び図８のフラットキー３２により定常運転状態の制御内容設定画面及び切替状態の制御内容設定画面を選択する。図８は切替状態の制御内容設定画面であり、図９はこの画面において制御内容を設定する際の操作のフローチャートを示す。また図１０は定常運転状態の制御内容設定画面であり図１１はこの画面において制御内容を設定する際の操作のフローチャートを示す。
【００２２】まず、図８，９を用い切替状態の制御内容設定画面（以下切替内容設定画面と称する）において設定内容及び手順を説明する。オペレーターは印刷中（あるいは印刷終了後）に図８のファンクションキー３２の切替内容設定キー３２ａを押すことによりＣＴＲ画面上に切替内容設定画面を呼びだす。切替えられる装置としては、印刷機ブランケット胴上のインキ、
紙粉などを自動洗浄する装置であるブランケットウォッシャー
【００２３】次に、オペレーターは制御内容に応じ使用する装置をカーソルキー３４のキーを用い
カーソル６０
カーソルキー３４のキーを用いＯＮ／ＯＦＦにて選択する
    　　
　カ　「 【００２７】切替時の制御開始方法は、まず、前記切替内容を設定し各自動化装置に不具合がない事を確認する。次に
オペレーターは印刷終了直後、図８中の操作スイッチ３５のロック解除スイッチ３５ａを押す事により切替開始スイッチのロックを解除する。これはオペレーターが誤って切替開始スイッチを押す事を防止する対策である
ロックが解除されたら切替開始スイッチ３５ｂを押す事により
【００２８】
上記切替開始スイッチが押されると図１２に示すようにほぼ同時に圧胴、ブランケット胴、インキ装置等を洗浄する各種洗浄装置（Ｓ３０）、紙サイズ、印圧、インキ等の各種初期セット（プリセット）装置（Ｓ３１）、板入れ装置（図１２、Ｓ３２）、給排紙部自動化装置（Ｓ３３）が選択条件に応じ順次起動していく
　　    　
　キ「【発明の効果】本発明に係る
印刷機及び各自動化装置を集中制御するコントローラーによれ
操作盤間を走りまわる作業が無くなり
無人運転化、複数台の並行管理を推進することができる
   　　　　　
　ク　図８から、「ブランケットウオッシャー」を起動させるか否かは、カーソルキー６０を左右に移動させて選択することが看取される。
　
　ケ　上記カより、印刷終了後に、まず、オペレータが「ロック解除スイッチ３５ａ」を押すことで、切替開始スイッチのロックを解除し、次いで「切替開始スイッチ３５ｂ」を押すことで、各装置を選択条件に応じて順次起動させることになる。
　　　　　　　　　
４　対比
　本願発明と引用発明とを対比する。
（１）引用発明の「インキツボ内のインキを、インキ元ローラ、インキ呼出ローラ及びインキ練りローラを介して版胴へ供給するオフセット印刷機のインキ供給装置」は、本願発明の「インキツボ内のインキをインキローラ群を介して刷版へ供給するインキ供給装置」に相当する。
    　
（２）引用文献１には「インキ練りローラ群に溜まったインキは版の画線率に応じて版に取られるため・・・版に取られる量も少ないためである。」（摘記（オ）を参照。）と記載されている。
　してみると、引用発明の「インキ練りローラ群に残るインキを版の画線率に応じて消費し」は、「インキローラ群に形成されているインキ膜厚分布から前記刷版の絵柄に応じたインキ膜厚分布を除去する」ことと同じことであり、引用発明の「インキ供給装置」は、本願発明の「インキローラ群に形成されているインキ膜厚分布から前記刷版の絵柄に応じたインキ膜厚分布を除去するインキ除去手段」を備えていることになる。
  　       　
（３）引用発明の「切替えスイッチ」は、上記（２）で指摘した「インキ除去手段」を動作させるか否かを選択させるものである。
　してみると、引用発明の「切替えスイッチ」は、本願発明の「インキ除去手段に対してその動作モードを設定する第１のスイッチ手段」に相当する。
　  　
（４）してみると、本願発明と引用発明とは以下の点で一致する。
＜一致点＞
「インキツボ内のインキをインキローラ群を介して刷版へ供給するインキ供給装置において、
　前記インキローラ群に形成されているインキ膜厚分布から前記刷版の絵柄に応じたインキ膜厚分布を除去する
インキ除去手段
　前記インキ除去手段に対してその動作モードを設定する
第１のスイッチ手段
　インキ膜厚の制御方法。」
  　　　　　　　　　　　
　一方で、引用発明と本願発明とは、以下の点で相違している。
　＜相違点１＞
　本願発明が「ブランケット胴に対する洗浄を行うブランケット洗浄手段」を備え、かつ「前記ブランケット洗浄手段に対してその動作モードを設定する第２のスイッチ手段とを設け」と特定されるものであるのに対して、引用発明は上記特定を備えていない点。
　  　　　　　　
　＜相違点２＞
　本願発明が「前記第１のスイッチ手段および第２のスイッチ手段による動作モードの設定が連動である場合、
印刷作業の終了と連動して、前記インキ除去手段を自動的に動作させ、その後、前記ブランケット洗浄手段を自動的に動作させ
　前記第１のスイッチ手段による動作モードの設定が連動で前記第２のスイッチ手段による動作モードの設定が単独である場合、
印刷作業の終了と連動して、前記インキ除去手段のみを自動的に動作させ
　前記第１のスイッチ手段による動作モードの設定が単独で前記第２のスイッチ手段による動作モードの設定が連動である場合、
印刷作業の終了と連動して、前記ブランケット洗浄手段のみを自動的に動作させ
　　　　　　　　　　　　　　
５　判断
　上記各相違点について検討する。
（１）＜相違点１＞について
　ア　オフセット印刷機において「ブランケット胴に対する洗浄を行うブランケット洗浄手段」を設けることは、本願出願前に周知である（例えば、特開平０７−０４０５３０号公報の【００２５】及び図２、特開平０６−１９８８５７号公報の【００１０】及び図５、特開平０３−１６６９４７号公報の第２頁左下欄第１５行乃至同頁右下欄第４行及び第２、３を参照。以下「周知技術１」という。）。
　                　
　イ　そして、引用発明も上記周知技術１も、同じ「オフセット印刷機」であることから、引用発明において「ブランケット胴に対する洗浄を行うブランケット洗浄手段」を設けることは、充分に動機付けがあるといえる。
　  　
　ウ　ところで、引用文献２には、オフセット印刷機の印刷が終了し次の印刷に備え準備している状態（切替状態）において、
ブランケットウォッシャー
カーソルキー３４のキーを用いカーソル６０を移動させ（Ｓ１１，１２）、再びカーソルキー３４のキーを用いＯＮ／ＯＦＦにて選択する
　    　
　エ　ここで、引用文献２に記載された「ブランケットウォッシャー」は、本願発明の「ブランケット洗浄手段」に相当し、引用文献２に記載された「カーソルキー３４のキーを用い
カーソル６０
カーソルキー３４のキーを用いＯＮ／ＯＦＦにて選択する
　　　  　　
　オ　してみれば、引用発明において「ブランケット胴に対する洗浄を行うブランケット洗浄手段」を備えるとともに、「前記ブランケット洗浄手段に対してその動作モードを設定する第２のスイッチ手段とを設け」ることは、引用文献２に記載の事項及び周知技術１に基いて、当業者が容易に想到し得ることである。  　
　        　
　オ　以上のことから、引用発明において、上記＜相違点１＞に係る本願発明の構成を採用することは、当業者が容易になし得たことである。
　　 　
（２）＜相違点２＞について
　ア　上記（１）で検討したように、引用発明が、上記＜相違点１＞に係る本願発明の構成を採用した結果、引用発明は、
「インキツボ内のインキをインキローラ群を介して刷版へ供給するインキ供給装置において、
　前記インキローラ群に形成されているインキ膜厚分布から前記刷版の絵柄に応じたインキ膜厚分布を除去する
インキ除去手段
　ブランケット胴に対する洗浄を行う
ブランケット洗浄手段
　前記インキ除去手段に対してその動作モードを設定する
第１のスイッチ手段
第２のスイッチ手段
　インキ膜厚の制御方法。」の発明（以下この発明を「引用発明’」という。）になる。
　　  　　
　イ　ところで、引用文献２には「
無人運転化
無人運転化を実現するために
　  　　
　ウ　また、上記（２）アの「引用発明’」は、「第１のスイッチ手段」と「第２のスイッチ手段」とを備えていることから、印刷作業の終了に連動して、「インキ除去手段の動作モードの設定」と「ブランケット洗浄手段の動作モードの設定」との組み合わせの数は、
理論的には
　　   　 　
　エ　そして、上記＜相違点２＞の動作は、上記ウで指摘した、少なくとも一方を動作させる３通りのパターンに相当するものである。
　そこで、「引用発明’」において、当業者がこの３通りのパターンとなるように動作モードの設定を行うことが、適宜なし得るか否かについて検討する。  　
　　　    　
　パターン１
「第１のスイッチ手段および第２のスイッチ手段による動作モードの設定が連動である場合、印刷作業の終了と連動して、前記インキ除去手段を自動的に動作させ、その後、前記ブランケット洗浄手段を自動的に動作させ」
　  　　 　
　パターン２
「第１のスイッチ手段による動作モードの設定が連動で前記第２のスイッチ手段による動作モードの設定が単独である場合、印刷作業の終了と連動して、前記インキ除去手段のみを自動的に動作させ」
  　　　　
　パターン３
「第１のスイッチ手段による動作モードの設定が単独で前記第２のスイッチ手段による動作モードの設定が連動である場合、印刷作業の終了と連動して、前記ブランケット洗浄手段のみを自動的に動作させ」
　　　　
（ア）パターン１について
　パターン１は、インキ除去手段とブランケット洗浄手段の
両者を
　そもそも、引用発明は「次の絵柄による印刷開始前に、インキ練りローラ群に残るインキ量を前に刷った絵柄にかかわらず一定とする」ものであるから、印刷作業の終了と連動して、次の版のためにインキ除去手段を自動的に動作させることに何ら困難性はない。
　また、ブランケット胴を印刷作業の終了と連動して洗浄させることも、必要に応じて適宜なし得ることである。
　　　  　
（イ）パターン２について
　パターン２は、
インキ除去手段のみ
　してみれば、インキ除去手段のみを動作させることは、適宜なし得る設計事項である。  　
　　　
（ウ）パターン３について
　パターン３は、
ブランケット洗浄手段のみ
　また、印刷作業が終了するのであるから、汚れたブランケット胴を洗浄するために、ブランケット洗浄手段を動作させることも何ら困難性はない。
    　　    　
　オ　上記エの（ア）乃至（ウ）より、上記パターン１乃至３の動作モードとなるように設定を組み合わせることは、何ら不自然なことではなく、当業者が適宜なし得る設計事項である。
　     　    　
　カ　以上のことから、「引用発明’」において、上記＜相違点２＞に係る本願発明の構成を採用することは、当業者が適宜なし得たことである。
　  　　
　また、本願発明の奏する効果も、引用発明、引用文献１に記載の事項、引用文献２に記載の事項、周知技術１及び周知技術２から当業者が予測し得る範囲内のものである。
　　　
６　むすび
　以上のとおり、本願発明は、引用発明に基づいて当業者が容易に発明をすることができたものであるから、特許法第２９条第２項の規定により特許を
受けることができない。
　したがって、その余の請求項について論及するまでもなく、本願は、拒絶すべきものである。
　よって、結論のとおり審決する。